(57)【要約】【課題】使用の利便性を高め、キャスター体の安定性を向上させることができるスーツケース構造を提供する。【解決手段】スーツケース構造において、第二サポートフレーム体２２を引いて動かすと、第二サポートフレーム体２２と第一サポートフレーム体２１が設置するメインサポートフレーム２１０は交差状を呈し、これによりスーツケース体１０とサポートフレームキャスターユニット２０との間はフラット状を呈し、使用者は腰を曲げ或いはしゃがまなくとも、スーツケース体１０内の收納物を取り出す或いは整理することができ、スライドキャスター２１１は、第一、二サポートフレーム体２１、２２の端部にそれぞれ可動設置するため、スーツケース体１０を引いて動かす時に、サポートフレームキャスターユニット２０にかかる力を分散することができる。【選択図】図１
0003152227.tif 000002
【実用新案登録請求の範囲】
【請求項１】
スーツケース構造は、スーツケース体、サポートフレームキャスターユニットを備え、
前記スーツケース体には、キャリーバー、数個の第一可動接続部、数個の第二可動接続部を設置し、
前記サポートフレームキャスターユニットには、第一サポートフレーム体、第二サポートフレーム体を設置し、
前記第一サポートフレーム体には、メインサポートフレーム、数個のスライドキャスターを設置し、前記第二サポートフレーム体には、数個の可動接続部品及び数個のスライドキャスターを設置し、
前記第一サポートフレーム体のメインサポートフレームは、スーツケース体に設置する第一可動接続部に可動接続し、前記第二サポートフレーム体の端部は、スーツケース体に設置する第二可動接続部に可動接続し、しかも可動軸は、第二サポートフレーム体外側に可動設置し、前記可動軸は、第二サポートフレーム体及び第一サポートフレーム体のメインサポートフレームを貫通し、
これにより前記第一サポートフレーム体と前記第二サポートフレーム体とは、可動接続して結合することを特徴とするスーツケース構造。
【請求項２】
前記第一サポートフレーム体には、Ｕ型可動接続棒及び横支え棒を設置し、
前記第一サポートフレーム体の横支え棒は、前記メインサポートフレーム間に横方向に固定して設置し、しかも前記メインサポートフレームと前記Ｕ型可動接続棒は、可動接続し、
前記Ｕ型可動接続棒の片側は、前記横支え棒に接触して支え、前記第一サポートフレーム体のＵ型可動接続棒端部は、前記スーツケース体に設置する第一可動接続部に可動接続することを特徴とする請求項１に記載のスーツケース構造。
【請求項３】
前記キャリーバーには、相互に重なる数個の回転ハンドルを設置し、前記回転ハンドルは、前記キャリーバーに相対して横方向に回転することを特徴とする請求項１に記載のスーツケース構造。
【請求項４】
前記キャリーバーは、前記スーツケース体上に固定式を呈して設置されることを特徴とする請求項１に記載のスーツケース構造。
【請求項５】
前記キャリーバーは、前記スーツケース体上にスライド式を呈して設置されることを特徴とする請求項１に記載のスーツケース構造。
【考案の詳細な説明】
【技術分野】
【０００１】
本考案はスーツケース構造に関し、特にスーツケースのキャスター及びキャリーバーに応用されるスーツケース構造に関する。
【背景技術】
【０００２】
図５に示すように、従来のスーツケース構造は、スーツケース本体３０の下方に、固定されたキャスター３１を設置する。
しかも、スーツケース本体３０の上方には、キャリーバー３２を設置し、キャリーバー３２を持って引くことで、スーツケース本体３０に設置するキャスター体３１は、地面に対してスライドし、こうしてスーツケース本体３０を引いて動かすことができる。
【０００３】
しかし、上記した従来の構造には、以下のような欠点が存在する。
1.      使用の利便性が劣る：そのキャスター体は、スーツケース本体下方に固定され、キャリーバーは、スーツケース本体上方に固定されるため、そのスーツケース本体とキャスター体、及びキャリーバーの使用型態には、制限がある。よって、スーツケース体を寝かして置いた時には、収納物を整理するために、使用者は、腰を曲げ或いはしゃがむ必要があり、不便である。
2.      キャスター体の安定性が悪い：そのキャスター体及びキャリーバーは、スーツケース本体の相互に異なる側にそれぞれ設置され、キャスター体は、スーツケース本体上にのみ可動接続可能であるため、キャリーバーを持って引き、キャスター体をスライドさせる時、スーツケース本体の重量は、キャスター体とスーツケース本体の可動接続部に集中し、これによりキャスター体は損壊し易く、よってそのキャスター体は安定性が悪い。
本考案は、従来のスーツケース構造の上記した欠点に鑑みてなされたものである。
【考案の概要】
【考案が解決しようとする課題】
【０００４】
本考案が解決しようとする課題は、従来のスーツケース構造の、使用の利便性とキャスター体の安定性が劣るという問題を改善することができるスーツケース構造を提供することである。
【課題を解決するための手段】
【０００５】
上記課題を解決するため、本考案は下記のスーツケース構造を提供する。
スーツケース構造は、スーツケース体及びサポートフレームキャスターユニットを備え、
該スーツケース体には、キャリーバー、数個の第一可動接続部、数個の第二可動接続部を設置し、
該サポートフレームキャスターユニットには、第一サポートフレーム体、第二サポートフレーム体を設置し、
該第一サポートフレーム体には、メインサポートフレーム、数個のスライドキャスター、Ｕ型可動接続棒、横支え棒を設置し、
該第二サポートフレーム体には、数個の可動接続部品及び数個のスライドキャスターを設置し、該第一サポートフレーム体の横支え棒は、該メインサポートフレーム間に横方向に固定して設置し、しかもメインサポートフレームとＵ型可動接続棒は、可動接続し、
該Ｕ型可動接続棒の片側は、横支え棒に接触して支え、該スーツケース体に設置する第一可動接続部は第一サポートフレーム体のＵ型可動接続棒端部に可動接続し、
該スーツケース体に設置する第二可動接続部は、該第二サポートフレーム体の端部に可動接続し、しかも該第二サポートフレーム体外側には、数個の可動軸を設置し、
該可動軸は、第二サポートフレーム体及び第一サポートフレーム体のメインサポートフレームを貫通し、これにより第二サポートフレーム体と第一サポートフレーム体とは、可動接続して結合し、
該第二サポートフレーム体を引いて動かすと、第二サポートフレーム体と第一サポートフレーム体が設置するメインサポートフレームは交差状を呈し、これによりスーツケース体とサポートフレームキャスターユニット間は、フラット状を呈し、
使用者は、腰を曲げ或いはしゃがまなくとも、スーツケース体内の收納物を取り出す、或いは整理することができ、
該スライドキャスターは、第一、二サポートフレーム体の端部にそれぞれ可動設置するため、該スーツケース体を引いて動かす時に、サポートフレームキャスターユニットにかかる力を分散することができ、こうして使用の利便性を高め、キャスター体の安定性を向上させることができる。
【考案の効果】
【０００６】
本考案は、使用の利便性を高め、キャスター体の安定性を向上させることができる。
【図面の簡単な説明】
【０００７】
【図１】本考案立体組合せ状態の模式図である。
【図２】本考案立体分解状態の模式図である。
【図３】本考案構造の側面模式図である。
【図４】本考案作動状態の参考図である。
【図５】従来の構造の模式図である。
【考案を実施するための形態】
【０００８】
以下に図面を参照しながら本考案を実施するための最良の形態について詳細に説明する。
【実施例】
【０００９】
本考案スーツケース構造の立体組合せ、立体分解、及び側面模式図である図１〜３に示すように、本考案スーツケース構造は、スーツケース体１０、サポートフレームキャスターユニット２０を備える。
【００１０】
スーツケース体１０には、キャリーバー１１、数個の第一可動接続部１２、数個の第二可動接続部１３を設置する。
キャリーバー１１は、固定式を呈し、或いはスライド式で、スーツケース体１０上に設置し、キャリーバー１１には、相互に重なる数個の回転ハンドル１１０を設置する。
回転ハンドル１１０は、キャリーバー１１に相対し、横方向に回転する。
【００１１】
サポートフレームキャスターユニット２０には、第一サポートフレーム体２１及び第二サポートフレーム体２２を設置する。
第一サポートフレーム体２１には、メインサポートフレーム２１０、数個のスライドキャスター２１１、Ｕ型可動接続棒２１２、横支え棒２１３を設置する。
第二サポートフレーム体２２には、数個の可動接続部品２２０、数個のスライドキャスター２２１を設置する。
【００１２】
第一サポートフレーム体２１の横支え棒２１３は、メインサポートフレーム２１０間に横方向に固定して設置し、しかもメインサポートフレーム２１０とＵ型可動接続棒２１２は、可動接続し、該Ｕ型可動接続棒２１２の片側は、横支え棒２１３に接触して支える。
第一サポートフレーム体２１のＵ型可動接続棒２１２端部は、スーツケース体１０に設置する第一可動接続部１２に可動接続し、第二サポートフレーム体２２の端部は、スーツケース体１０に設置する第二可動接続部１３に可動接続する。
しかも、可動軸２２０は、第二サポートフレーム体２２外側に可動設置する。
これにより、可動軸２２０は、第二サポートフレーム体２２及び第一サポートフレーム体２１のメインサポートフレーム２１０を貫通し、これにより、第一サポートフレーム体２１と第二サポートフレーム体２２は可動接続する。
こうして本考案スーツケース構造の組立てを完成する。
【００１３】
本考案スーツケース構造の作動状態模式図である図４に合わせて示すように、第一サポートフレーム体２１の横支え棒２１３は、メインサポートフレーム２１０間に横方向に固定して設置する。
しかも、メインサポートフレーム２１０とＵ型可動接続棒２１２は、可動接続し、該Ｕ型可動接続棒２１２の片側は、横支え棒２１３に接触して支える。
スーツケース体１０に設置する第一可動接続部１２は、第一サポートフレーム体２１のＵ型可動接続棒２１２端部に可動接続する。
【００１４】
スーツケース体１０に設置する第二可動接続部１３は、第二サポートフレーム体２２の端部に可動接続し、しかも第二サポートフレーム体２２外側には、数個の可動軸２２０を設置する。
該可動軸２２０は、第二サポートフレーム体２２及び第一サポートフレーム体２１のメインサポートフレーム２１０を貫通し、これにより第二サポートフレーム体２２と第一サポートフレーム体２１とは、可動接続して結合する。
【００１５】
第二サポートフレーム体２２を引いて動かすと、第二サポートフレーム体２２と第一サポートフレーム体２１が設置するメインサポートフレーム２１０は交差状を呈し、これによりスーツケース体１０とサポートフレームキャスターユニット２０間は、フラット状を呈する。
これにより、使用者は、腰を曲げ或いはしゃがまなくとも、スーツケース体内の收納物を取り出す、或いは整理することができる。
スライドキャスター２１１、２２１は、第一、二サポートフレーム体２１、２２の端部にそれぞれ可動設置するため、スーツケース体１０を引いて動かす時に、サポートフレームキャスターユニット２０にかかる力を分散することができ、こうして使用の利便性を高め、キャスター体の安定性を向上させることができる。
【００１６】
上記のように、本考案には以下の長所がある。
1.      使用の利便性が高い：第二サポートフレーム体を引いて動かす時、第二サポートフレーム体と第一サポートフレーム体が設置するメインサポートフレームは交差状を呈し、これによりスーツケース体とサポートフレームキャスターユニット間は、フラット状を呈するため、使用者は、腰を曲げ或いはしゃがまなくとも、スーツケース体内の收納物を取り出す、或いは整理することができるため、非常に便利である。
2.     
キャスター体の安定性が高い：スライドキャスターは、第一、二サポートフレーム体の端部にそれぞれ可動設置するため、スーツケース体を引いて動かす時に、サポートフレームキャスターユニットにかかる力を分散することができるため、キャスター体は高い安定性を備える。
【産業上の利用可能性】
【００１７】
本考案は実用新案の要件である新規性を備え、従来の同類製品に比べ十分な進歩を有し、実用性が高く、社会のニーズに合致しており、産業上の利用価値は非常に大きい。
【符号の説明】
【００１８】
１０      スーツケース体
１１      キャリーバー
１１０    回転ハンドル
１２      第一可動接続部
１３      第二可動接続部
２０      サポートフレームキャスターユニット
２１      第一サポートフレーム体
２１０    メインサポートフレーム
２１１    スライドキャスター
２１２    Ｕ型可動接続棒
２１３    横支え棒
２２      第二サポートフレーム体
２２０    可動軸
２２１    スライドキャスター
３０      スーツケース本体
３１      固定されたキャスター
３２      キャリーバー
【図１】
0003152227.tif 000003
【図２】
0003152227.tif 000004
【図３】
0003152227.tif 000005
【図４】
0003152227.tif 000006
【図５】
0003152227.tif 000007